(57)【要約】【課題】パーソナルコンピュータを所有しない者でも自己のホームページを手軽に作成してインタネットに公開することができるインタネットホームページ作成システムを提供する。【解決手段】端末１において、画面の指示に従って、文字入力部６，カーソル移動ボタン６０，「ＹＥＳ」ボタン６１，「ＮＯ」ボタン６２を操作するだけで、ホームページ用ファイルＨＦが作成される。このホームページ用ファイルＨＦはホームページ用ファイルＨＦやイーメールアドレスと共にホームページ情報Ｓとして、インタネット３を介してサーバ２に送られる。サーバ２では、ホームページ情報Ｓに基づいて、ホームページ用ファイルＨＦをＷＷＷサーバ部２１に格納すると共に、ホームページ用ファイルＨＦのホームページアドレスＨＡを記したイーメイルをユーザのメールアドレス宛に送信する。【選択図】　　　　図１
2004118283.tif 000002
【特許請求の範囲】
【請求項１】
料金投入によって所定時間作動するホームページ作成専用の端末と、インタネットを介して上記端末から送られてきたホームページ情報を保存及び公開するためのサーバとを具備するインタネットホームページ作成システムであって、
上記端末は、
テキスト情報を入力をするための文字入力部と、
操作者を撮像するための撮像部と、
上記文字入力部で入力されたテキスト情報と上記撮像部で撮像された画像とを、予め設定されたレイアウトでＨＴＭＬ等のファイルに貼り付けることにより、ホームページ用ファイルを作成するホームページファイル作成部と、
このホームページフアイル作成部で作成されたホームページ用ファイルを閲覧するためのホームページアドレスを作成するホームページアドレス作成部と、
上記ホームページファイル作成部で作成されたホームページ用ファイルをインタネットを介して上記サーバに送信するための送信部と、
上記ホームページファイル作成部で作成されたホームページ用ファイルの表示レイアウトと上記ホームページアドレス作成部で作成されたホームページアドレスとを印刷して出力する印刷部と
を有し、
上記サーバは、
上記端末からのホームページ用ファイルを受信する受信部と、
この受信部で受信されたホームページ用ファイルを公開するために格納するＷＷＷサーバ部と
を有する、
ことを特徴とするインタネットホームページ作成システム。
【請求項２】
請求項１に記載のインタネットホームページ作成システムにおいて、
上記端末が、
少なくとも氏名及びイーメイルアドレスを入力するためのテキストボックスを有したフォームをモニタに表示し、上記文字入力部を用いて入力された上記氏名及びイーメイルアドレスなどのテキスト情報を上記ホームページファイル作成部に出力する入力画面表示部と、
上記撮像部が写している操作者の姿態をファインダ様にモニタに表示し、操作者の指示で撮像部を作動させる撮像制御部と
を具備することを特徴とするインタネットホームページ作成システム。
【請求項３】
請求項２に記載のインタネットホームページ作成システムにおいて、
上記端末の送信部は、上記ホームページ用ファイルを上記入力画面表示部のテキスト情報に含まれるイーメイルアドレスと上記ホームページアドレス作成部で作成されたホームページアドレスと共に上記サーバに送信するものであり、
上記サーバは、上記端末の送信部から送られてきたイーメイルアドレスに、上記ホームページアドレスを記したイーメイルを配信するように、メイルサーバを制御するメイルサーバ配信制御部を有するものである、
ことを特徴とするインタネットホームページ作成システム。
【請求項４】
請求項３に記載のインタネットホームページ作成システムにおいて、
上記端末の上記入力画面表示部が表示するフォームに、操作者が希望するホームページアドレス用の文字列を入力するためのテキストボックスを設け、
上記ホームページアドレス作成部は、当該端末の識別文字と当該端末で作成されたホームページ用ファイルの通し番号と上記入力画面表示部のテキスト情報に含まれる操作者希望の文字列とを結合して上記ホームページ用ファイルのファイル名とし、このホームページ用ファイルにアクセス可能なホームページアドレスを作成するものである、
ことを特徴とするインタネットホームページ作成システム。
【発明の詳細な説明】
【０００１】
【発明の属する技術分野】
この発明は、クライアントが作成したホームページをインタネットを介して配信することができるインタネットホームページ作成システムに関するものである。
【０００２】
【従来の技術】
従来、この種のシステムは、各自が所有するパーソナルコンピュータに、ホームページ作成ソフトやインターネットに接続するための通信器機を設け、作成したホームページファイルを　通信機器を介してサーバーに保存することで、不特定多数者がこのホームページを閲覧することができる構成となっている（例えば、特許文献１参照）。
【０００３】
【特許文献１】
特開２００１−３５０６８８号公報（第３頁右１４行目−第５頁左１４行目、図１及び図２）
【０００４】
【発明が解決しようとする課題】
しかしながら、上記した従来のシステムでは、次のような問題がある。
ホームページを作成しようとする者は、自己のパーソナルコンピュータに高価なホームぺージ作成ソフトをインストールすると共に、ＩＰアドレスを取得した閲覧用のサーバを購入するか又は借りなければならない。そして、システムを構築する際には、専門的な知識の習得と繁雑な作業と時間とが必要である。
しかも、自己のホームページをインタネットに公開するには、ホームページ作成ソフトがインストールされたパーソナルコンピュータを所有していることが前提であるため、パーソナルコンピュータを所有しない者が自己のホームページを手軽に作成して公開することは不可能であった。
【０００５】
この発明は上述した課題を解決するためになされたもので、パーソナルコンピュータを所有しない者でも自己のホームページを手軽に作成してインタネットに公開することができるインタネットホームページ作成システムを提供することを目的とするものである。
【０００６】
【課題を解決するための手段】
上記課題を解決するために、請求項１の発明は、料金投入によって所定時間作動するホームページ作成専用の端末と、インタネットを介して端末から送られてきたホームページ情報を保存及び公開するためのサーバとを具備するインタネットホームページ作成システムであって、端末は、テキスト情報を入力をするための文字入力部と、操作者を撮像するための撮像部と、文字入力部で入力されたテキスト情報と撮像部で撮像された画像とを、予め設定されたレイアウトでＨＴＭＬ等のファイルに貼り付けることにより、ホームページ用ファイルを作成するホームページファイル作成部と、このホームページフアイル作成部で作成されたホームページ用ファイルを閲覧するためのホームページアドレスを作成するホームページアドレス作成部と、ホームページファイル作成部で作成されたホームページ用ファイルをインタネットを介してサーバに送信するための送信部と、ホームページファイル作成部で作成されたホームページ用ファイルの表示レイアウトとホームページアドレス作成部で作成されたホームページアドレスとを印刷して出力する印刷部とを有し、サーバは、端末からのホームページ用ファイルを受信する受信部と、この受信部で受信されたホームページ用ファイルを公開するために格納するＷＷＷサーバ部とを有する構成とした。
かかる構成により、ホームページ作成専用の端末に料金を投入して端末を作動させ、文字入力部でテキスト情報を入力すると共に撮像部で操作者を撮像すると、ホームページファイル作成部において、文字入力部で入力されたテキスト情報と撮像部で撮像された画像とが、予め設定されたレイアウトでＨＴＭＬ等のファイルに貼り付けられて、ホームページ用ファイルが作成される。すると、ホームページアドレス作成部において、ホームページ用ファイルを閲覧するためのホームページアドレスが作成される。そして、送信部によって、ホームページ用ファイルがインタネットを介してサーバに送信される。これと並行して、ホームページファイル作成部で作成されたホームページ用ファイルの表示レイアウトとホームページアドレス作成部で作成されたホームページアドレスとが印刷部で印刷されて出力される。一方、サーバでは、端末からのホームページ用ファイルが受信部で受信され、ＷＷＷサーバ部に格納される。これにより、端末で作成されたホームページがインタネットに公開されることとなる。
【０００７】
また、請求項２の発明は、請求項１に記載のインタネットホームページ作成システムにおいて、端末が、少なくとも氏名及びイーメイルアドレスを入力するためのテキストボックスを有したフォームをモニタに表示し、文字入力部を用いて入力された氏名及びイーメイルアドレスなどのテキスト情報をホームページファイル作成部に出力する入力画面表示部と、撮像部が写している操作者の姿態をファインダ様にモニタに表示し、操作者の指示で撮像部を作動させる撮像制御部とを具備する構成とした。
【０００８】
さらに、請求項３の発明は、請求項２に記載のインタネットホームページ作成システムにおいて、端末の送信部は、ホームページ用ファイルを入力画面表示部のテキスト情報に含まれるイーメイルアドレスとホームページアドレス作成部で作成されたホームページアドレスと共にサーバに送信するものであり、サーバは、端末の送信部から送られてきたイーメイルアドレスに、ホームページアドレスを記したイーメイルを配信するように、メイルサーバを制御するメイルサーバ配信制御部を有するものである構成とした。
【０００９】
特に、請求項４の発明は、請求項３に記載のインタネットホームページ作成システムにおいて、端末の入力画面表示部が表示するフォームに、操作者が希望するホームページアドレス用の文字列を入力するためのテキストボックスを設け、ホームページアドレス作成部は、当該端末の識別文字と当該端末で作成されたホームページ用ファイルの通し番号と入力画面表示部のテキスト情報に含まれる操作者希望の文字列とを結合してホームページ用ファイルのファイル名とし、このホームページ用ファイルにアクセス可能なホームページアドレスを作成するものである構成とした。
【００１０】
【発明の実施の形態】
以下、この発明の実施の形態について図面を参照して説明する。
図１は、この発明の一実施形態に係るインタネットホームページ作成システムを示すネットワーク図である。
図１に示すように、この実施形態のインタネットホームページ作成システムは、複数の端末１とサーバ２とをインタネット３を介して接続した構成となっている。
【００１１】
端末１は、ホームページ作成専用の機器であり、不特定多数の者が有料で使用することができる。
図２は、この端末１の外観図である。
図２に示すように、端末１の筐体４の前面右部には、コイン投入口５が設けられ、水平部には文字入力部６が設けられている。また、文字入力部６の右側には、モニタ７に表示されたカーソルを上下左右に移動させることができるカーソル移動ボタン６０と、「ＹＥＳ」ボタン６１及び「ＮＯ」ボタン６２が配設されている。さらに、筐体４の前面上部には、撮像部８が取り付けられている。なお、符号４０は印刷物用の排出口４０である。
【００１２】
図３は、この端末１の電気的構造を示すブロック図である。
図３に示すように、端末１は、制御部１０と、記憶部１１と、入力画面表示部１２と、撮像部８を制御するための撮像制御部１３と、ホームページファイル作成部１４（図３において「ＨＰ−Ｆ作成部」と記す）と、ホームページアドレス作成部１５（図３において「ＨＰ−Ａ作成部」と記す）と、送信部１６と、印刷部１７とを具備している。
【００１３】
制御部１０は、コイン投入口５にコインが投入されたことを検知した後、操作者１００が文字入力部６，カーソル移動ボタン６０，「ＹＥＳ」ボタン６１及び「ＮＯ」ボタン６２を用いて行った指示に対応して、撮像部８，記憶部１１〜印刷部１７を制御する部分である。また、この制御部１０は、コイン枚数のカウンタとタイマとを内蔵しており、所定枚数のコインがコイン投入口５に投入された後、所定時間だけ端末１を作動させる。
【００１４】
記憶部１１は、図４に示すレイアウト選択画面用ファイルＰ１，図５に示す選択確認画面用ファイルＰ２，図６のテキスト情報入力用ファイルＰ３，図７に示す入力確認画面用ファイルＰ４，図８に示すファインダ画面用ファイルＰ５，図９に示す画像確認画面用ファイルＰ６，及び図１０に示すホームページ確認画面用ファイルＰ７などを格納する部分である。
【００１５】
図３において、文字入力部６は、日本語キーボードのキーと同一配置のタッチ式キーで構成されており、制御部１０の制御によって仮名漢字変換が可能である。モニタ７に表示された所定のファイルにテキスト情報を入力をするために使用することができる。
入力画面表示部１２は、テキスト情報入力用ファイルＰ３をモニタ７に表示する機能と、テキスト情報入力用ファイルＰ３のテクストボックスに入力されたテキスト情報ＴＸＴをホームページファイル作成部１４に出力する機能を有している。この実施形態では、テキスト情報入力用ファイルＰ３のテキストボックスとして、氏名入力ボックスｍ１，住所入力ボックスｍ２，電話番号入力ボックスｍ３，…，イーメイルアドレス入力ボックスｍ４，操作者１００が希望するホームページアドレス用の文字列を入力するためのテキストボックスである希望ＵＲＬ入力ボックスｍ５，及びコメント入力ボックスｍ６が設けられている。
【００１６】
撮像部８は、操作者１００を撮像するための器機であり、ディジタルカメラやビデオカメラ等を適用することができる。
撮像制御部１３は、この撮像部８が写している操作者１００の姿態を図８に示すようにファインダ様にモニタ７に表示し、制御部１０の制御で撮像部８を作動させる機能を有している。撮像部８は、作動時に撮像した画像Ｇをホームページファイル作成部１４に出力する。
【００１７】
ホームページファイル作成部１４は、入力画面表示部１２からのテキスト情報ＴＸＴと撮像部８から画像Ｇとを、選択されたレイアウトでＨＴＭＬ等のファイルに貼り付けることにより、ホームページ用ファイルＨＦを作成する部分である。
【００１８】
ホームページアドレス作成部１５は、ホームページファイル作成部１４で作成されたホームページ用ファイルＨＦを閲覧するためのホームページアドレスＨＡを作成する部分である。
具体的には、当該端末１の識別文字と当該端末１で作成されたホームページ用ファイルＨＦの通し番号と入力画面表示部１２のテキスト情報ＴＸＴに含まれる希望ＵＲＬとを結合してホームページ用ファイルＨＦのファイル名とする。そして、このファイル名からサーバ２内のホームページ用ファイルＨＦにアクセス可能なホームページアドレスＨＡを作成する。
例えば、図１に示すサーバ２のＵＲＬが「ｈｔｔｐ：ｗｗｗ．×××．ｃｏ．ｊｐ」で、当該端末１の識別文字が「ａ２１」で、当該端末１で作成したホームページ用ファイルＨＦが通し番号が「１０２」で、希望ＵＲＬが「ｈａｎａｋｏ」の場合には、ホームページアドレスＨＡは、「ｈｔｔｐ：ｗｗｗ．×××．ｃｏ．ｊｐ／ａ２１−１０２−ｈａｎａｋｏ．ｈｔｍｌ」となる。
【００１９】
送信部１６は、ホームページファイル作成部１４で作成されたホームページ用ファイルＨＦをインタネット３を介してサーバ２に送信するための部分である。具体的には、ホームページ用ファイルＨＦとテキスト情報ＴＸＴのイーメイルアドレスとホームページアドレスＨＡとを含むホームページ情報Ｓをサーバ２に送信する。
【００２０】
印刷部１７は、プリンタなどで構成されており、ホームページファイル作成部１４で作成されたホームページ用ファイルＨＦの表示レイアウトとホームページアドレス作成部１５で作成されたホームページアドレスＨＡとを印刷し、図１１に示すような印刷物Ｐ８を排出口４０に出力する。
【００２１】
図１２は、制御部１０が端末１の各部に対して行う制御を示すフローチャート図である。
図３に示す制御部１０は、コイン投入口５にコインが投入されると、コイン枚数をカウントして、投入金額が例えば３００円であるか否かを判断する（図１２のステップＳ１）。投入金額が足りない場合には、待機し、投入金額が３００円であると認識した場合には、タイマをスタートさせる（図１２のステップＳ２）。なお、過剰な場合には過剰分を返却してタイマをスタートさせる（図１２のステップＳ３からＳ２）
制御部１０は、タイマスタート後、所定時間が経過すると、制御動作を終了し、以後、操作者１００が端末１を使用できないようにする（図１２のステップＳ４）。
【００２２】
タイマがスタートすると、制御部１０は、レイアウト選択画面用ファイルＰ１を記憶部１１から呼び出して、図４に示すように、モニタ７に表示する（図１２のステップＳ５）。
そして、操作者１００が画面に表示されたレイアウトのうち、好みのホームページレイアウト番号の数字キーを文字入力部６で入力すると、図５に示すように、選択確認画面用ファイルＰ２を記憶部１１から呼び出してモニタ７に表示する（図１２のステップＳ６のＹＥＳ，Ｓ７）。
そして、操作者１００が「ＮＯ」ボタン６２を押すと、制御部１０はモニタ７を図４に示す状態の画面に戻し（図１２のステップＳ８のＮＯ）、「ＹＥＳ」ボタン６１を押すと、制御部１０が入力画面表示部１２を制御し、入力画面表示部１２がテキスト情報入力用ファイルＰ３を記憶部１１から呼び出して、図６に示すように、テキスト情報入力用ファイルＰ３をモニタ７に表示する（図１２のステップＳ８のＹＥＳ，Ｓ９）。
【００２３】
この状態で、操作者１００が文字入力部６とカーソル移動ボタン６０とを用いて、テキスト情報入力用ファイルＰ３の氏名入力ボックスｍ１，住所入力ボックスｍ２，電話番号入力ボックスｍ３，…，イーメイルアドレス入力ボックスｍ４，希望ＵＲＬ入力ボックスｍ５，及びコメント入力ボックスｍ６に入力し、「ＹＥＳ」ボタン６１を押すと、入力されたテキストを含むテキスト情報ＴＸＴが入力画面表示部１２からホームページファイル作成部１４に出力される。制御部１０は、入力確認画面用ファイルＰ４を記憶部１１から読み出し、入力確認画面用ファイルＰ４にテキスト情報ＴＸＴの内容を貼り付けて、図７に示すように、モニタ７に表示する（図１２のステップＳ１０のＹＥＳ，Ｓ１１）。
そして、操作者１００が「ＮＯ」ボタン６２を押すと、制御部１０はモニタ７を図６に示す状態の画面に戻し（図１２のステップＳ１２のＮＯ）、「ＹＥＳ」ボタン６１を押すと、ファインダ画面用ファイルＰ５を記憶部１１から呼び出して、図８に示すように、モニタ７に表示する（図１２のステップＳ１２のＹＥＳ，Ｓ１３）。
【００２４】
このとき、制御部１０は、撮像制御部１３を作動させ、撮像部８が写している操作者１００の姿態をファインダ様にしてモニタ７に表示する。
この状態で、操作者１００が「ＹＥＳ」ボタン６１を押すと、撮像部８が操作者１００を撮像し、その画像Ｇをホームページファイル作成部１４に出力するように、制御部１０が撮像部８を制御する。そして、画像確認画面用ファイルＰ６を記憶部１１から読み出し、この画像確認画面用ファイルＰ６に画像Ｇを貼り付けて、図９に示すように、モニタ７に表示する（図１２のステップＳ１４のＹＥＳ，Ｓ１５）。
そして、操作者１００が「ＮＯ」ボタン６２を押すと、制御部１０はモニタ７を図８に示す状態の画面に戻し（図１２のステップＳ１６のＮＯ）、「ＹＥＳ」ボタン６１を押すと、ホームページファイル作成部１４を作動させる。
これにより、ホームページファイル作成部１４が、入力画面表示部１２からのテキスト情報ＴＸＴと撮像部８から画像Ｇとを、選択されたレイアウトでＨＴＭＬ等のファイルに貼り付けることにより、ホームページ用ファイルＨＦを作成するので、制御部１０は、この作成されたホームページ用ファイルＨＦのレイアウトを示すホームページ確認画面用ファイルＰ７を、図１０に示すように、モニタ７に表示する（図１２のステップＳ１６のＹＥＳ，Ｓ１７）。
【００２５】
最後に、操作者１００が、「ＹＥＳ」ボタン６１を押すと、制御部１０は、ホームページファイル作成部１４及びホームページアドレス作成部１５と共に、送信部１６を作動させる（図１２のステップＳ１８のＹＥＳ，Ｓ１９）。
これにより、送信部１６が、ホームページファイル作成部１４のホームページ用ファイルＨＦと入力画面表示部１２のテキスト情報ＴＸＴのイーメイルアドレスとホームページアドレス作成部１５のホームページアドレスＨＡとを含むホームページ情報Ｓをサーバ２に送信することとなる。
制御部１０は、送信部１６の作動後、印刷部１７を作動させる（図１２のステップＳ２０）。
これにより、印刷部１７が、ホームページファイル作成部１４のホームページ用ファイルＨＦの表示レイアウトとホームページアドレス作成部１５のホームページアドレスＨＡとを印刷し、図１１に示すような印刷物Ｐ８を排出口４０に出力することとなる。
【００２６】
一方、図１において、サーバ２は、インタネット３を介して端末１から送られてきたホームページ情報Ｓに基づいて、ホームページ用ファイルＨＦを保存及び公開するための器機である。
図１３は、サーバ２の構造を示すブロック図である。
図１３に示すように、サーバ２は、受信部２０とＷＷＷサーバ部２１とメールサーバ２２とメイルサーバ配信制御部２３と送信部２４とを具備している。
【００２７】
受信部２０は、インタネット３を介して端末１から送られてきたホームページ情報Ｓを受信する部分であり、ホームページ情報Ｓに含まれるホームページアドレスＨＡに基づいて、ホームページ用ファイルＨＦをＷＷＷサーバ部２１の所定部に格納する機能を有している。
また、ＷＷＷサーバ部２１は、インタネット３に接続されたパーソナルコンピュータ１１０や携帯電話１１１等（図１参照）からのアクセスに応答して、これらの器機のブラウザに表示させるホームページ用ファイルＨＦを送信部２４を介してインタネット３に送り出す部分である。
メイルサーバ配信制御部２３は、受信部２０が受信したホームページ情報Ｓ内に含まれるイーメイルアドレスに、ホームページアドレスＨＡを記したイーメイルＭを配信するように、メールサーバ２２を制御する部分である。
【００２８】
この実施形態のインタネットホームページ作成システムが上記構成をとることにより、図１に示すように、ゲームセンタなどに配置された端末１を不特定者が使用することで、自己のパーソナルコンピュータでは作成することができないホームページを容易に作成して、サーバ２に公開することができる。
すなわち、図１４に示すように、不特定者が端末１の前に座り、所定枚数のコインをコイン投入口５に投入すると、図４に示すように、レイアウト選択画面用ファイルＰ１がモニタ７に表示されるので、好みのレイアウトの番号を文字入力部６の数字キーで入力する。
すると、図５に示すように、選択確認画面用ファイルＰ２がモニタ７に表示されるので、良ければ、「ＹＥＳ」ボタン６１を押し、図６に示すテキスト情報入力用ファイルＰ３が表示される画面に移る。
ここで、氏名入力ボックスｍ１〜コメント入力ボックスｍ６に、自己の氏名などを入力して、「ＹＥＳ」ボタン６１を押すと、図７に示すように、入力確認画面用ファイルＰ４がモニタ７に表示されるので、良ければ「ＹＥＳ」ボタン６１を押す。
すると、図８に示すように、ファインダ画面用ファイルＰ５がモニタ７に表示され、自己の姿態がファインダ画面用ファイルＰ５内に映し出されるので、好きなポーズをとって、「ＹＥＳ」ボタン６１を押す。
そして、図９に示すように、画像確認画面用ファイルＰ６がモニタ７に表示されたときに、「ＹＥＳ」ボタン６１を押すと、図１０に示すように、ホームページ確認画面用ファイルＰ７がモニタ７に表示される。このレイアウトで良ければ、「ＹＥＳ」ボタン６１を押し、端末１におけるホームページ作成操作を終了する。
【００２９】
端末１におけるホームページ作成操作が終了すると、図１１に示すような印刷物Ｐ８が端末１の排出口４０から排出されると共に、ホームページ情報Ｓが端末１からサーバ２に送信される。
そして、図１３に示すように、ホームページ情報Ｓがサーバ２の受信部２０によって受信され、ホームページ用ファイルＨＦがＷＷＷサーバ部２１に格納されると共に、メイルサーバ配信制御部２３の制御によって、ホームページアドレスＨＡが記入されたイーメイルＭがメールサーバ２２から配信可能になる。
この結果、端末１の操作者１００は、自己のパーソナルコンピュータ１１０や携帯電話１１１のメールソフトで、サーバ２のメールサーバ２２からのイーメイルＭを受け、イーメイルＭに記載されているホームページアドレスＨＡをブラウザにコピーアンドペーストすることで、サーバ２のＷＷＷサーバ部２１で公開されている自分のホームページ用ファイルＨＦを容易に閲覧することができる。
【００３０】
なお、この発明は、上記実施形態に限定されるものではなく、発明の要旨の範囲内において種々の変形や変更が可能である。
例えば、上記実施形態では、初期画面で、図４に示すようなレイアウト選択画面用ファイルＰ１が表示されるようにしたが、このレイアウト選択画面用ファイルＰ１を表示せず、レイアウトの種類は１種類に固定して処理をする構成の端末１を除外する意味ではない。
また、上記実施形態では、文字入力部６をタッチパネル式の入力装置としたが、キーボードのような押下式の入力装置を文字入力部６として用いても良い。
【００３１】
【発明の効果】
以上詳しく説明したように、この発明のインタネットホームページ作成システムによれば、ホームページ作成専用の端末に料金を投入して、文字入力部でテキスト情報を入力すると共に撮像部で操作者を撮像するだけで、自己のホームページをインタネットに公開することができるので、専門的な知識や繁雑な作業及び時間を必要とせずに、ホームページを容易且つ短時間で作成することができ、しかも、パーソナルコンピュータを所有しない者でも自己のホームページを手軽に作成してインタネットに公開することができるという優れた効果がある。
【００３２】
また、、サーバからユーザのイーメイルアドレスに、ホームページアドレスを記したイーメイルを配信するように構成することで、ユーザがホームページアドレスをイーメイルからブラウザにコピーアンドペーストするだけで、自己のホームページを閲覧することができ、非常に便利である。
【図面の簡単な説明】
【図１】この発明の一実施形態に係るインタネットホームページ作成システムを示すネットワーク図である。
【図２】端末の外観図である。
【図３】端末のブロック図である。
【図４】レイアウト選択画面用ファイルを表示した画面図である。
【図５】選択確認画面用ファイルを表示した画面図である。
【図６】テキスト情報入力用ファイルを表示した画面図である。
【図７】入力確認画面用ファイルを表示した画面図である。
【図８】ファインダ画面用ファイルを表示した画面図である。
【図９】画像確認画面用ファイルを表示した画面図である。
【図１０】ホームページ確認画面用ファイルを表示した画面図である。
【図１１】印刷物の正面図である。
【図１２】制御部の制御を示すフローチャート図である。
【図１３】サーバのブロック図である。
【図１４】端末を操作している状態を示す斜視図である。
【符号の説明】
１…端末、　２…サーバ、　３…インタネット、　６…文字入力部、　７…モニタ、　８…撮像部、　１０…制御部、　１１…記憶部、　１２…入力画面表示部、　１３…撮像制御部、　１４…ホームページファイル作成部、　１５…ホームページアドレス作成部、　１６…送信部、　１７…印刷部、　２０…受信部、２１…ＷＷＷサーバ部、　２３…メイルサーバ配信制御部、　２４…送信部、Ｇ…画像、　ＨＦ…ホームページ用ファイル、　ＨＡ…ホームページアドレス、
Ｍ…イーメイル、　ＴＸＴ…テキスト情報、　Ｓ…　ホームページ情報。
【図１】
2004118283.tif 000003
【図２】
2004118283.tif 000004
【図３】
2004118283.tif 000005
【図４】
2004118283.tif 000006
【図５】
2004118283.tif 000007
【図６】
2004118283.tif 000008
【図７】
2004118283.tif 000009
【図８】
2004118283.tif 000010
【図９】
2004118283.tif 000011
【図１０】
2004118283.tif 000012
【図１１】
2004118283.tif 000013
【図１２】
2004118283.tif 000014
【図１３】
2004118283.tif 000015
【図１４】
2004118283.tif 000016